(57)【特許請求の範囲】
【請求項１】
加工機械に取り付けられ、断面が円形であり、偏心した回転中心を有する加工部の外径と偏心量を測定する加工部の測定方法であって、
加工部の回転中心と加工機械に設けられた基準点との間の第１の距離を設定するステップと、
加工部の回転中心から加工部の外周面上の最も遠い最外点と、加工部の回転中心から加工部の外周面上の最も近い最内点とを測定可能となるように加工部を回転させた計測位置にて、基準点と前記最内点との間の第２の距離を測定するステップと、基準点と前記最外点との間の第３の距離を測定するステップと、
第２の距離と第３の距離との差分に基づいて加工部の外径を求めるステップと、
第１の距離と第３の距離との差分と求めた加工部の外径、または第１の距離と第２の距離との差分と求めた加工部の外径、に基づいて加工部の偏心量を求めるステップと、
を備える加工部の測定方法。
【請求項２】
加工プログラムに従って加工部の外周面を加工する加工部の加工方法であって、
請求項１に記載の加工部の測定方法を用いて加工部の外径及び偏心量を測定し、測定した加工部の外径及び偏心量に基づいて加工プログラムを修正し、
修正した加工プログラムに従って加工部の外周面を仕上げ加工する、
加工部の加工方法。
【請求項３】
請求項２に記載の加工部の加工方法であって、
測定した加工部の外径あるいは偏心量と許容値とを比較して加工部の良否を判定する、
加工部の加工方法。
【発明の詳細な説明】
【０００１】
【発明の属する技術分野】
本発明は、回転中心軸に対して偏心して設けられ、断面が円形である加工部の回転中心軸に対する偏心量や外径を測定する加工部の測定方法及び測定装置に関する。
【０００２】
【従来の技術】
機械加工機で工作物を加工する場合、機械加工機に載置された測定装置を用いて加工物の寸法等を測定しながら加工することがある。特に、工作物であるクランクシャフトをジャーナル中心で回転し、その際遊星運動する加工中のクランクピンの径を測定するための測定装置としては、例えば、マーポス社製（イタリア）の追従式定寸装置（特開平２０００−１２７０３８号公報）が、一般によく知られている。
この追従式定寸装置を、図１０に基づいて説明する。図１０は、円筒研削盤１００上で研削加工中のクランクピン１０８の半径を追従式定寸装置１０３を用いて測定する場合の図である。追従式定寸装置１０３は、円筒研削盤１００の砥石台１０２に支持部材１０４に、回転軸１０５を中心に回動可能に取り付けられている。追従式定寸装置１０３は、図１０の二点鎖線で示す待機位置から、遊星運動しているクランクピン１０８の寸法を測定する時に図１０の実線で示す位置に移動するようになっている。
追従式定寸装置１０３の測定部には、Ｖブロック１０６が設けられている。Ｖブロック１０６のＶ溝部には、Ｖ溝部の中心位置を通る軸にバネで付勢されて前後に進退移動可能にプローブ１０７が設けられている。プローブ１０７の前後の進退移動量は、電気的に検出され、電気信号として出力されるようになっている。
クランクピン１０８である加工箇所を測定する際には、実線で示すように、Ｖブロック１０６をクランクピン１０８の外周に当接させて、クランクピン１０８とＶブロック１０６を２箇所の接点で接触させる。この時、プローブ１０７は、図略のバネ力によりクランクピン１０８の外周に接触する。そして、Ｖブロック１０６とクランクピン１０８との接触状態におけるプローブ１０７の加工面に対する当接位置とＶブロック１０６の幾何学形状に基づいて、クランクピン１０８の半径を求める。
【０００３】
【発明が解決しようとする課題】
しかしながら、従来の追従式定寸装置は高価である。
また、加工部の半径しか測定することができない、このため、加工部の外径（直径）は、測定した半径から求める必要がある。この場合には、直接に外径を測定する場合に比して誤差が大きい。
また、Ｖブロック１０６のＶ溝部の大きさや、Ｖブロック１０６を支持する旋回支持機構により、測定できる工作物の径や、クランクシャフトに制約があり、計測範囲が狭いという問題もあった。
本発明は、このような点に鑑みてなされたものであり、その目的とするところは、安価に、精度よく加工部の外形を測定することでき、かつ、計測範囲の広い加工部の測定方法及び測定装置を提供することである。
【０００４】
【課題を解決するための手段】
上記課題を達成するための本実施の形態に記載の構成では、加工部の回転中心と加工機械に設けられた基準点との間の第１の距離と、基準点と加工部の外周面との間の第２の距離とに基づいて加工部の外径を測定する。
本実施の形態に記載の構成を用いれば、測定装置としては距離を検出することができればよいため、例えば接触式の測定装置を用いることができ、安価に構成することができる。また、従来技術に比して測定精度が向上する。
また、本発明の第１発明は請求項１に記載されたとおりの加工部の加工方法である。
第１発明は、加工機械に取り付けられ、断面が円形であり、偏心した回転中心を有する加工部の外径と偏心量を測定する加工部の測定方法であって、加工部の回転中心と加工機械に設けられた基準点との間の第１の距離を設定するステップと、加工部の回転中心から加工部の外周面上の最も遠い最外点と、加工部の回転中心から加工部の外周面上の最も近い最内点とを測定可能となるように加工部を回転させた計測位置にて、基準点と前記最内点との間の第２の距離を測定するステップと、基準点と前記最外点との間の第３の距離を測定するステップと、を備える。
そして、第２の距離と第３の距離との差分に基づいて加工部の外径を求めるステップと、第１の距離と第３の距離との差分と求めた加工部の外径、または第１の距離と第２の距離との差分と求めた加工部の外径、に基づいて加工部の偏心量を求めるステップと、を備える加工部の測定方法である。
また、本実施の形態に記載した発明は、加工機械に取り付けられ、断面が円形であり、偏心した回転中心を有する加工部の外径と偏心量を測定する加工部の測定方法であって、加工部の回転中心と加工機械に設けられた基準点との間の第１の距離を設定するステップと、加工部の回転中心から加工部の外周面上の最も近い最内点を測定可能となるように加工部を回転させた計測位置にて、基準点と前記最内点との間の第２の距離を測定するステップと、加工部の回転中心から加工部の外周面上の最も遠い最外点を測定可能となるように前記計測位置から加工部を１８０度回転させた位置にて、基準点と前記最外点との間の第３の距離を測定するステップと、を備える。
そして、第１の距離と第２の距離との差分に基づいて加工部の短径を求めるステップと、第１の距離と第３の距離との差分に基づいて加工部の長径を求めるステップと、求めた短径と長径の和に基づいて加工部の外径を求めるステップと、求めた長径と外径との差分、または求めた外径と短径との差分、に基づいて加工部の偏心量を求めるステップと、を備える加工部の測定方法である。
第１発明では、加工部の回転中心と加工機械に設けられた基準点との間の第１の距離と、基準点と加工部の外周面上の最内点との間の第２の距離と、基準点と加工部の外周面上の最外点との間の第３の距離とに基づいて加工部の外径と偏心量を求める。
第１発明を用いれば、測定装置としては距離を検出することができればよいため、例えば接触式の測定装置を用いることができ、安価に構成することができる。また、従来技術に比して測定精度が向上する。さらに、加工部の偏心量を測定することができるため、高い仕上がり精度で加工することができる。
また、本発明の第２発明は、請求項２に記載されたとおりの加工物の加工方法である。
第２発明を用いれば、測定した加工部の外径や偏心量に基づいて加工プログラムを修正するため、より高い仕上がり精度で加工することができる。
また、本発明の第３発明は、請求項３に記載されたとおりの加工部の加工方法である。請求項３に記載の加工部の加工方法を用いれば、測定した加工部の外径あるいは偏心量と許容値とを比較して加工部の良否を判定するため、加工の良否の判定が機上で容易に行える。
【０００５】
【発明の実施の形態】
以下に、本発明の第一の実施の形態を、図１から図４までを用いて説明する。本実施の形態では、クランクシャフトのクランクピンの外周部を研削盤１で研削加工する場合について説明する。クランクシャフト２０（以下、「工作物」という）は、ジャーナルとこのジャーナルに対して偏心しているクランクピン（加工部）がクランク腕で連結されている。クランクピンは、断面が円形を有しており、その外周面が加工個所となる。図１は、砥石台３に計測装置２５を設けた研削盤１の概略平面図である。なお、研削盤１の作動方向の説明は、図１に矢印で示すＸ軸方向及びＹ軸方向に基づいて行なう。
【０００６】
砥石台３とテーブル１１は、それぞれベッド２の上に搭載されており、砥石台３はＸ軸方向に、テーブル１１はＹ軸方向にそれぞれ移動自在に設けられている。
すなわち、ベッド２には、Ｘ軸モータ４が設けられている。砥石台３は、Ｘ軸モータ４と連結されているＸ軸方向送りネジを介して、ベッド２に設けられているＸ軸方向の案内摺動面を摺動することができる。Ｘ軸モータ４には、Ｘ軸エンコーダ５が取り付けられている。このため、砥石台３の位置は、Ｘ軸エンコーダ５によって検出される。
砥石台３には、研削砥石７が回転可能に支持されており、研削砥石７の回転駆動用の砥石モータ６が、砥石台３に図略の軸受部と共に内蔵されている。研削砥石７は、ＣＢＮ砥石を用いている。
また、ベッド２には、Ｙ軸モータ１２が設けられている。テーブル１１は、Ｙ軸モータ１２と連結されているＹ軸送りネジを介して、ベッド２に設けられているＹ軸方向の案内摺動面を摺動することができる。Ｙ軸モータ１２には、Ｙ軸エンコーダ１３が取り付けられている。このため、テーブル１１の位置は、Ｙ軸エンコーダ１３によって検出される。
【０００７】
テーブル１１上には、主軸台１６と芯押し台１４が設置されている。工作物２０は、両端部２０ａ、２０ｂの中心位置を主軸台１６のセンタ１９と芯押し台１４のセンタ１５で挟んだ状態で支持され、回転チャックによりクランプ及び駆動される。主軸台１６には、工作物２０の回転駆動用のＣ軸モータ１７が設けられている。Ｃ軸モータ１７には、Ｃ軸エンコーダ１８が設けられている。また、主軸台１６の側部（図１では、後述する計測装置２５が対向する側の側部）には、基準点を決定するための基準面を有する基準板２９が設けられている。
【０００８】
更に、砥石台３の前面には、接点動作形の計測装置２５が取付けられている。計測装置２５は、計測対象である工作物２０のクランクピン（加工部）の外周面（加工個所）と接触して傾動するプローブ２７と、プローブ２７を保持すると共に、プローブ２７が所定量傾動した時に接触信号（オン信号）を出力する計測ヘッド２６で構成されている。プローブ２７の先端は、図２に示すように、球径Ｐを有する球状に形成されている。計測装置２５は、工作物２０の研削加工中は、工作物２０等との干渉を避けるため、軸２８を中心に回転させて、図中に実線で示す待機位置に位置させることができる（点線は計測位置）。
【０００９】
次に、研削盤１の制御装置３１について説明する。本実施の形態で用いる研削盤１は、コンピュータ数値制御装置（ＣＮＣ）３１を備えている。コンピュータ数値制御装置（ＣＮＣ）３１（以下、「制御装置」という）には、中央演算処理装置（ＣＰＵ）３２、Ｘ軸駆動制御回路３３、Ｙ軸駆動制御回路３４、Ｃ軸制御回路３５、加工動作プログラム等を蓄積する記憶手段３６（例えば、ＲＡＭ、ＲＯＭ、ＨＤＤ等）がバスを介して相互に接続されている。
Ｘ軸駆動制御回路３３は、Ｘ軸モータ４やＸ軸エンコーダ５と接続されている。Ｙ軸駆動制御回路３４は、Ｙ軸モータ１２やＹ軸エンコーダ１３と接続されている。Ｃ軸制御回路３５は、Ｃ軸モータ１７やＣ軸エンコーダ１８と接続されている。
そして、Ｘ軸駆動制御回路３３、Ｙ軸駆動制御回路３４、Ｃ軸制御回路３５、計測装置２５は、インターフェース３７を介して中央演算処理装置（ＣＰＵ）３２とバスで相互に接続されている。
【００１０】
また、記憶手段３６は、中央演算処理装置（ＣＰＵ）３２とバスで相互に接続されている。記憶手段３６には、研削盤１で研削加工に必要な加工動作プログラム、例えば、計算で求められた理想プロファイル（Ｐ／Ｆ）データ、理想プロファイル（Ｐ／Ｆ）データに基づいて試し研削を行い、その結果に基づいて修正され実際の研削加工で使用される補正プロファイル（Ｐ／Ｆ）データ、この補正プロファイル（Ｐ／Ｆ）データを後述するように補正した再補正プロファイル（Ｐ／Ｆ）データ等が記憶されている。
情報等を表示するＣＲＴ等の表示手段やテンキー等の入力手段を備えた入出力装置３８は、インターフェース３９を介して中央演算処理装置（ＣＰＵ）３２とバスで相互に接続されている。
【００１１】
次に、本発明の加工部の測定方法の第一の実施の形態を用いて工作物２０のクランクピンＣＰ１（加工部）の回転中心軸に対する偏心量や外径（直径）を測定しながら、クランクピンＣＰ１の研削加工を実行する際の動作を図２〜図４により説明する。ここで、図２は、加工部の測定方法の第一の実施の形態を示す図である。図３は、本発明の加工部の測定方法の第一の実施の形態で使用する計測値を計測する方法を説明するための図である。なお、図３は、図２のＡ−Ａ線矢視図である。図４は、本発明の加工部の測定方法の第一の実施の形態を用いてクランクピンＣＰ１の回転中心軸に対する偏心量や外径を測定しながら、クランクピンＣＰ１の外周面（加工個所）の研削加工を実行する際の動作を示すフローチャート図である。本実施の形態で加工するクランクシャフト２０のクランクピンＣＰ１は、断面が円形であり、回転時中心はジャーナル中心にあって、クランクピンＣＰ１の断面にある円形内には存在しない。
以下、図２〜図４に示すＸ軸／Ｙ軸／Ｚ軸方向については、Ｘ軸／Ｙ軸方向は、研削盤の動作方向に準じ、Ｚ軸方向は、研削盤の高さ方向とする。
【００１２】
研削盤１でクランクピンＣＰ１を研削加工するのに必要な加工動作プログラムは、上述したプロファイルデータとは別に、記憶手段３６に予め記憶されている。
この加工動作プログラムが開始されると、まず、ステップＳ１で、研削砥石７を、研削加工するクランクピンＣＰ１に合わせるため、Ｙ軸モータ１２によりテーブル１１を移動させてテーブル１１の位置を割り出す。
次に、ステップＳ２で、Ｃ軸モータ１７によって工作物２０を回転させ、クランクピンＣＰ１を加工する。その際、工作物２０は、工作物２０の両端２０ａ、２０ｂを軸心にして回転するので、クランクピンＣＰ１（加工部）は遊星運動をする。このため、研削砥石７がクランクピンＣＰ１の外周面（加工箇所）に常時接触するように、主軸台１６のＣ軸モータ１７の回転に同期させて砥石台３を前後に進退移動させる必要がある。
すなわち、工作物２０の単位回転角（例えば、０．５°毎）に、工作物２０の回転位置及び砥石台３の進退位置を定めた補正プロファイル（Ｐ／Ｆ）データを使用し、この補正プロファイル（Ｐ／Ｆ）データに従って、工作物２０の回転及び砥石台３の進退運動を制御する。この動作制御中に、Ｃ軸エンコーダ１８の出力によりクランクピンＣＰ１の回転角度を検出すると共に、Ｘ軸エンコーダ５の出力により砥石台３の位置を検出し、クランクピンＣＰ１の回転角度及び砥石台３の位置が補正プロファイル（Ｐ／Ｆ）データに定めた通りとなるようにフィードバック制御される。これにより、クランクピンＣＰ１の遊星運動位置に応じて砥石台３が進退され、研削砥石７は遊星運動中のクランクピンＣＰ１の外周との接触が維持され、クランクピンＣＰ１の外周を連続的に研削加工する。
このようなＣ軸及びＸ軸の同時２軸制御運動は、クランクピンＣＰ１の加工中の間継続され、同じく加工中に行われる砥石台３の、工作物２０の回転軸線へ接近する切込み送りに重合される。このため、研削砥石７は、クランクピンＣＰ１に対し徐々に切込み前進されながら、この切込み前進の間クランクピンＣＰ１が遊星回転角のどのような位置をとる時でも、クランクピンＣＰ１と接触を維持するように進退運動される。
ステップ２では、このようにしてクランクピンＣＰ１が比較的速い切込み速度で粗研削され、次に砥石台３の切込み位置が加工動作プログラム中に設定された粗研削終了位置まで到達すると、切込み速度が比較的遅い精研削速度切り替えられて精研削が行われ、そして砥石台３の切込み位置が加工動作プログラム中に設定された精研削終了位置まで到達すると、精研削が終了する。これにより、砥石台３の切込み送りは停止され、この停止状態にてクランクピンＣＰ１が１回転または数回転されてスパークアウト研削を行った後、砥石台３が後退位置まで後退され、工作物２０は図３（ａ）に示す計測位置へクランクピンＣＰ１を割出した状態で停止する。
なお、理想プロファイル（Ｐ／Ｆ）データは、本実施の第一の形態にて加工されるクランクピンＣＰ１、ＣＰ２を目的とする直径を真円に研削加工するために、クランクピンＣＰ１、ＣＰ２の直径や砥石径、ピンストローク等のパラメータを考慮して幾何学計算にて算出した工作物２０の各回転角と、これらの各回転角に対応する研削砥石７位置を定義するデータである。一方、補正プロファイル（Ｐ／Ｆ）データは、理想プロファイル（Ｐ／Ｆ）データを用いて工作物２０を試し研削加工した時に、機械系の歪や送りサーボ系の追跡遅れが原因して生じる誤差分を、理想プロファイル（Ｐ／Ｆ）データに対し補正して得られるデータである。
【００１３】
次に、ステップＳ３で、計測装置２５を用いて既知である基準位置Ｋ１からの最外点距離Ｍ１１、最内点距離Ｍ１２を計測する。
まず、計測装置２５のプローブ２７を、軸２８を中心に、図１に実線で示す待機位置から点線で示す計測位置に回転させる（図１では、約９０度回転させる）。図３ａに示すように、工作物２０は、計測位置に割出された状態で、クランクピンＣＰ１の外周面上の、中心軸から最も遠い点（最外点）と最も近い点（最内点）がＸ軸線上に位置するようにクランクシャフト２０（工作物）の回転角度、すなわち主軸の回転角度が調整されている。以下、クランクシャフト２０（工作物）が図３ａに示す状態にある場合を回転角度０度とする。また、クランクシャフト２０（工作物）が図３ｃに示す状態にある場合を回転角度２７０度とする。
次に、Ｙ軸モータ１２によりテーブル１１をＹ軸に沿って移動させ、計測装置２５がオン信号を出力するまでＸ軸モータ４により砥石台３をＸ軸に沿って移動させることによって、計測装置２５のプローブ２７を、主軸台１６の側部に設けられている基準板２９の基準面に接触させる（図３ａ）。以下、この位置を基準点とする。この時、例えば、Ｘ軸エンコーダ５の出力によって砥石台３のＸ軸方向の移動した位置を記憶手段３６に記憶する。
ここで、本実施の形態で用いている計測装置２５は、プローブ２７の球心を計測位置としているため、主軸台１６の主軸センタ１９から基準位置Ｋ１までのＸ軸方向の距離は、主軸台１６の主軸センタ１９から基準板２９の基準点に接触しているプローブ２７の球心までの距離（基準距離）である。この基準距離はＫ１として、予め記憶手段３６に記憶された既知の値である。
次に、Ｘ軸モータ４及びＹ軸モータ１２により砥石台３及びテーブル１１を移動させ、プローブ２７をクランクピンＣＰ１の外周面上の、回転中心軸から最も遠い点（最外点）に接触させ、計測装置２５がオン信号を出力する位置で砥石台３の前進送りを停止する（図３ｂ）。なお、最外点は、必ずしも回転中心軸から最も遠い点でなくてもよい。このような点も、「最外点」の概念に含まれる。この時、Ｘ軸エンコーダ５の出力によって、基準点から最外点までのＸ軸方向の移動量を検出する。この基準点から最外点までのＸ軸方向の距離を最外点距離Ｍ１１として記憶手段３６に記憶する。
【００１４】
次に、プローブ２７をクランクピンＣＰ１から離した後、クランクピンＣＰ１の位置が主軸センタ１９の位置よりも低くなるようにＣ軸モータ１７によって工作物２０を回転させる（図３ｃ）。本実施の形態では、工作物２０を図３ａに示す位置から時計方向にほぼ９０度回転させている。
この状態で、Ｘ軸モータ４により、砥石台３をＸ軸に沿って前進させる（図３ｃ）。
プローブ２７がクランクピンＣＰ１を完全に通過する位置まで砥石台３が移動したら、砥石台３の移動を停止させる。
次に、クランクピンＣＰ１を図３ａに示す状態に戻す。本実施の形態では、工作物２０を反時計方向に９０度回転させる（図３ｄ）。
次に、Ｘ軸モータ４により砥石台３を後退させ、プローブ２７をクランクピンＣＰ１の外周面上の、回転中心軸から最も近い点（最内点）に接触させ、計測装置２５がオン信号を出力する位置で砥石台３の後退送りを停止する（図３ｅ）。なお、最内点は、必ずしも回転中心軸から最も近い点でなくてもよい。このような点も、「最内点」の概念に含まれる。この時、例えば、Ｘ軸エンコーダ５の出力によって、基準点から最内点までのＸ軸方向の移動量を検出する。この基準点から最内点までのＸ軸方向の距離を最内点距離Ｍ１２として記憶手段３６に記憶する。
次に、プローブ２７をクランクピンＣＰ１から離した後、クランクピンＣＰ１が主軸センタ１９の位置よりも低くなるように、Ｃ軸モータ１７によって工作物２０を回転させる。例えば、工作物２０を時計方向に９０度回転させる。この状態で、Ｘ軸モータ４により砥石台３をＸ軸方向に後退させる（図３ｆ）。プローブ２７がクランクピンＣＰ１を完全に通過する前述した後退位置まで砥石台３が後退したら、砥石台３を停止させる。
【００１５】
次に、ステップＳ４では、ステップＳ３計測した最外点距離Ｍ１１、最内点距離Ｍ１２、予め記憶されているプローブ２７の球径Ｐ及び基準距離Ｋ１に基づいて、クランクピンＣＰ１の外径（直径）Ｄ１１及び回転中心軸からクランク軸までのオフセット量（回転中心軸に対する偏心量）ＳＴ１１を求める。クランクピンＣＰ１の外径Ｄ１１は、例えば式［Ｄ１１＝Ｍ１２−Ｍ１１−Ｐ］により求めることができ、オフセット量（偏心量）ＳＴ１１は、例えば式［ＳＴ１１＝Ｋ１−Ｍ１１−（Ｄ１１＋Ｐ）／２］により求めることができる。
ステップＳ４で求めた外径Ｄ１１とオフセット量（偏心量）ＳＴ１１は、後述するステップＳ６にて上記粗研削及び精研削にて使用した補正プロファイル（Ｐ／Ｆ）データを再補正するために使用される。
【００１６】
この再補正処理に先立って、ステップＳ５では、砥石径を算出する。この算出では、ステップＳ４にて求められたクランクピンＣＰ１の外径Ｄ１１とクランクピンＣＰ１の精研削目標外径との誤差を求め、この誤差により補正プロファイル（Ｐ／Ｆ）データの作成処理演算式において設定した砥石径を補正することにより、補正された砥石径が算出される。
また、ステップＳ５では、補正偏心量を算出する。この算出では、ステップＳ４にて求められたクランクピンＣＰ１の実際の偏心量ＳＴ１１と目標とする偏心量との誤差を求め、この誤差により補正プロファイル（Ｐ／Ｆ）データの作成処理演算式において設定した偏心量を補正することにより、補正された偏心量が算出される。
このように求められた補正砥石径及び補正偏心量は、研削加工中に生じた工作物２０の変形、研削盤１の構造体や送り機構の弾性変形や熱変形、さらには送りサーボ系の遅れなどを総合的に加味した値として見なされる。
ステップＳ６では、補正砥石径及び補正偏心量を補正プロファイル（Ｐ／Ｆ）データの作成処理演算式に代入し、再補正プロファイル（Ｐ／Ｆ）データ（再補正Ｃ−Ｘデータ）を作成し、これを記憶手段３６の再補正Ｐ／Ｆデータ領域に記憶する。
【００１７】
次に、ステップＳ７では、ステップＳ６において得られた再補正プロファイル（Ｐ／Ｆ）データに基づいて、クランクピンＣＰ１の仕上げ研削加工（微研削、零切り込み研削）を行う。
仕上げ研削加工が終了し、砥石台３が後退位置へ戻されたら、ステップＳ８で、ステップＳ３と同様の方法で、基準位置Ｋ１、最外点距離Ｍ１１、最内点距離Ｍ１２を計測する。
次に、ステップＳ９では、ステップＳ４と同様の方法で、クランクピンＣＰ１の外径Ｄ１２と偏心量ＳＴ１２を求める。
【００１８】
次に、ステップＳ１０では、中央演算処理装置（ＣＰＵ）３２は、ステップＳ９で求めた外径Ｄ１２と偏心量ＳＴ１２が、研削加工後の目標値に対して許容範囲内にあるか否かを判断する。この時、外径Ｄ１２と偏心量ＳＴ１２が目標値の許容範囲内にあれば、ステップＳ１１に進む。外径Ｄ１２とオフセット量（ストローク）ＳＴ１２の計測値が、いずれか一方でも許容範囲から外れている時には、ステップＳ１２に進む。
ステップＳ１２では、中央演算処理装置（ＣＰＵ）３２は、クランクピンＣＰ１の研削加工がＮＧであることを示すＮＧ信号を入出力装置３８に送る。入出力装置３８は、中央演算処理装置（ＣＰＵ）３２からＮＧ信号を受信すると、例えば表示手段に、研削加工がＮＧである旨の情報を表示する。また、中央演算処理装置（ＣＰＵ）３２は、研削盤１に加工中止指令を送信し、例えば、次に研削加工を行うクランクピンＣＰ２の研削加工の開始を中止させる。
【００１９】
ステップＳ１１では、一番目のクランクピンＣＰ１の研削加工が完了となる。そして、中央演算処理装置（ＣＰＵ）３２は、クランクピＣＰ１以外に研削加工を行うクランクピンがあるか否かを判断する。他に研削加工を行うクランクピンがなければ、処理を終了する。一方、研削加工を行うクランクピンがあれば、ステップＳ１３に進む。
【００２０】
ステップＳ１３では、次に研削加工するクランクピンＣＰ２に研削砥石７を合わせるために、Ｙ軸モータ１２によりテーブル１１を移動させて、テーブル１１の位置を割り出す。
次に、ステップＳ１４では、ステップＳ２と同様の方法でクランクピンＣＰ２の粗研削及び精研削を行う。そして、ステップＳ１５では、クランクピンＣＰ１の研削加工を通じてステップＳ６において得られた再補正プロファイル（Ｐ／Ｆ）データに基づいて、クランクピンＣＰ２の仕上げ研削加工（微研削、零切り込み研削）を行う。
【００２１】
仕上げ研削加工を終了した後では、ステップＳ１１に進む。例えばラインＬ１に従ってステップＳ８に進むようにプログラムされる変更例の場合には、ステップＳ８以降のステップが実行される。
【００２２】
次に、本発明の加工部の測定方法の第二の実施の形態を、図５〜図７を用いて説明する。図５は、加工部の測定方法の第二の実施の形態を示す図である。図６は、本発明の加工部の測定方法の第二の実施の形態で使用する計測値を計測する方法を説明するための図である。なお、図６は図５のＢ−Ｂ線矢視図である。図７は、偏心円筒部の研削加工を実行しながら計測装置２５で計測する際の動作を示す加工動作プログラムのフローチャート図である。本実施の形態で加工する偏心円筒部付きシャフト２１（工作物）の偏心円筒部ＣＡ１、ＣＡ２は、断面が円形であり、偏心円筒部付きシャフト２１（工作物）の回転中心軸に対して偏心している。
【００２３】
研削盤１で偏心円筒部付きシャフト２１（工作物）の偏心円筒部ＣＡ１、ＣＡ２の外周面を研削加工するのに必要な加工動作プログラムは、記憶手段３６に予め記憶されている。
図７に示す加工動作プログラムの実行が開始されると、まず、ステップＳ２１で、研削砥石７を、一番目に研削加工する偏心円筒部ＣＡ１（加工部）に合わせるため、Ｙ軸モータ１２によりテーブル１１を移動させてテーブル１１の位置を割り出す。
次に、ステップＳ２２では、主軸台１６のＣ軸モータ１７を回転させて工作物２１を回転させる。この時、工作物２１は、工作物２１の中心軸を軸心にして回転されるが、偏心円筒部ＣＡ１の中心が工作物２１の中心軸（回転中心）に対して偏心しているため、研削砥石７が偏心円筒部ＣＡ１の外周面に常時接触するように、主軸台１６のＣ軸モータ１７の回転に同期させて砥石台３が前後に進退運動される。この進退運動は、砥石台３が加工動作プログラムに従って切込み前進される間中、補正プロファイル（Ｐ／Ｆ）データに従って行われる。すなわち、ステップＳ２２において、工作物２１の回転に同期して進退送りされながら工作物２１に対し切込み送りが行われていく。粗研削は、この切込み速度が比較的速く設定され、粗研削終了位置に到達すると同時に、砥石台３の切込み速度が比較的遅い速度に減速され、粗研削と精研削が連続して行われる。精研削終了位置に到達すると、砥石台３の切込み送りが停止され、工作物２１をその状態で１回転または数回転させてスパークアウト研削を行い、砥石台３が後退位置まで戻される。
【００２４】
次に、ステップＳ２３では、最初に計測する計測点を考慮した偏心円筒部ＣＡ１の回転位置で、工作物２１を回転停止させる（主軸定位置停止）。本実施の形態では、図６ａに示すように、偏心円筒部ＣＡ１の外周面上の、中心から最も近い点（最内点）と、中心から最も遠い点（最外点）がＸ軸に沿って配列されるように工作物２１を停止させている。以下、偏心円筒部ＣＡ１が図６ａに示す状態にある場合を回転角度０度とし、図６ｃに示す状態にある場合を回転角度１８０度とする。
次に、ステップＳ２４では、計測装置２５のプローブ２７を図１の実線で示す退避位置から破線で示す計測位置へ旋回し、その後Ｙ軸モータ１２を駆動してテーブル１１を移動し、プローブ２７が主軸台１６の基準板２９の正面に整列するようにする。この状態で、Ｘ軸モータ４により砥石台３を前進し、プローブ２７が基準板２９に当接して計測装置２５からオン信号が出力される時に砥石台３を停止させる。この停止位置をＸ軸エンコーダ５の出力により読取り、基準点Ｋ２として記憶装置３６に記憶する。
【００２５】
次に、ステップＳ２５では、Ｘ軸モータ４及びＹ軸モータ１２を駆動し、計測装置２５からオン信号が出力されるまで、プローブ２７を偏心円筒部ＣＡ１の最内点に接触させる（図６ａ）。この時、Ｘ軸エンコーダ５の出力によって、基準点Ｋ２から最内点までのＸ軸に沿った距離を最内点距離Ｍ２１として記憶手段３６に記憶する。
更に、中央演算処理装置（ＣＰＵ）３２は、既知である基準距離Ｋ２と、測定した最内点距離Ｍ２１に基づいて偏心円筒部ＣＡ１の短径Ｕ（回転中心と最内点との間の距離）を求め、記憶手段３６に記憶する。短径Ｕは、例えば式［Ｕ＝Ｋ２−Ｍ２１−Ｐ／２］により求めることができる。
【００２６】
ステップＳ２６では、砥石台３を後退させてプローブ２７を偏心円筒部ＣＡ１から離した後（プローブ退避）（図６ｂ）、Ｃ軸モータ１７により工作物２１を１８０度反転させる（工作物半回転割出し）（図６ｃ）。
次に、ステップＳ２７では、Ｘ軸モータ４を駆動し、計測装置２５からオン信号が出力されるまで、プローブ２７が偏心円筒部ＣＡ１の外周面上の、中心から最も遠い点（最外点）に接触させる。この時、基準点Ｋ２と最外点との間のＸ軸に沿った距離を最外点距離Ｍ２２として記憶手段３６に記憶する。
更に、中央演算処理装置（ＣＰＵ）３２は、基準距離Ｋ２と測定した最外点距離Ｍ２２に基づいて、偏心円筒部ＣＡ１の長径Ｖ（回転中心と最外点との間の距離）を求め、記憶手段３６に記憶する。長径Ｖは、例えば式［Ｖ＝Ｋ２−Ｍ２２−Ｐ／２］により求めることができる。最外点距離Ｍ２２の測定を完了した後、砥石台３は後退位置に戻され、プローブ２７は待機位置に戻される。
【００２７】
次に、ステップＳ２８では、ステップＳ２５、Ｓ２７で求めた短径Ｕ、長径Ｖを用いて、偏心円筒部ＣＡ１の半径Ｒを求める。半径Ｒは、例えば式［Ｒ＝（Ｕ＋Ｖ）／２］により求めることができる。
ステップＳ２９では、偏心円筒部ＣＡ１の長径Ｖと半径Ｒに基づいて、工作物２１の回転中心に対する偏心円筒部ＣＡ１の偏心量Ｔを求め、記憶手段３６に記憶する。偏心量Ｔは、例えば式［Ｔ＝Ｖ−Ｒ］により求めることができる。
【００２８】
ステップＳ３０では、算出された偏心量Ｔと目標偏心量が比較され、その誤差が許容値を超えるときは、中心軸上に偏心円筒部ＣＡ１を創成するためにＣ軸とＸ軸を、同時２軸制御するプロファイルデータが不正確であると見なし、その誤差についてプロファイルデータを再度補正する。より具体的には、プロファイルデータを再度演算処理し、この処理において偏心量の入力値として先に用いたそれに前記誤差分だけ修正した値を使用することにより、目標偏心量に近い加工結果を得ることができる再補正プロファイル（Ｐ／Ｆ）データを得て、これを記憶手段３６の再補正Ｐ／Ｆデータ領域に記憶する。
この再補正プロファイル（Ｐ／Ｆ）データは、ステップＳ３１において、偏心円筒部ＣＡ１を仕上げ研削する際に用いられる。この仕上げ研削における切込み送りに重合して、工作物２１の回転に同期する砥石台３の進退送り運動を、この再補正プロファイル（Ｐ／Ｆ）データに基づいて制御することにより、偏心円筒部ＣＡ１は、目標の仕上げ外径及び偏心量を持つように研削される
その後、ステップＳ３２において、加工すべき他の偏心円筒部ＣＡｎがあるか否かを判別し、なければ本加工動作プログラムに従うルーチンを終了する。他に加工すべき偏心円筒部、例えば、図５のように、偏心円筒部ＣＡ２がある場合には、ステップＳ３３に進む。
【００２９】
ステップＳ３３では、次に研削加工する偏心円筒部ＣＡ２に研削砥石７を整列するようにＹ軸モータ１２が駆動され、テーブル１１の位置が割り出される。次に、ステップＳ３４では、ステップＳ２２と同様の方法で、二番目の偏心円筒部ＣＡ２が粗研削及び精研削される。この場合、偏心円筒部ＣＡ２が、偏心円筒部ＣＡ１に対し１８０度位相が異なる時、粗研削の開始に先立って、偏心円筒部ＣＡ１の粗研削を開始した時の割出し角度に対し半回転異なった割出し角度に工作物２１を割出し、これにより偏心円筒部ＣＡ２の最短径部が研削砥石７に向けられ、このような工作物２１の割出し角度から粗研削が開始される。そして、粗研削及びこれに続く精研削においては、砥石台３は工作物２１に向かう切込み送り運動に重合して、一番目の偏心円筒部ＣＡ１の研削加工を通じて、ステップＳ３０にて得られた再補正プロファイル（Ｐ／Ｆ）データに従い、工作物２１の回転に同期した進退運動が与えられる。
また、精研削に続いて、ステップＳ３５にて仕上げ研削が行われ、この仕上げ研削においても砥石台３は再補正プロファイル（Ｐ／Ｆ）データに従い、工作物２１の回転に同期した進退運動が与えられる。仕上げ研削の終端において、砥石台３の切込み送りが停止され、この状態で工作物２１が１回転または数回転されることにより、スパークアウト研削が行われる。このようにして、二番目の偏心円筒部ＣＡ２が、粗研削、精研削及び仕上げ研削され、図５に示すように２つの偏心円筒部を有する工作物２１の例では、これによりステップＳ３２にて、全ての偏心円筒部が完了したと判別されて、本加工動作プログラムに従うルーチンが終了する。
【００３０】
次に、本発明の加工部の測定方法の第三の実施の形態を図８及び図９を用いて説明する。図８は、本発明の加工部の測定方法の第三の実施の形態を示す図である。図９は、ジャーナル部の研削加工を実行しながら測定を行う動作を示すフローチャート図である。
【００３１】
研削盤１でクランクシャフト２０（工作物）のジャーナルＪ１（加工部）の外周面（加工個所）を研削加工するのに必要な加工動作プログラムは、記憶手段３６に予め記憶されている。
図９に示す加工動作プログラムが開始されると、まず、ステップＳ４１では、一番目のジャーナルＪ１に研削砥石７を合わせるため、Ｙ軸モータ１２によりテーブル１１を移動させてテーブル１１の位置を割り出す。
次に、ステップＳ４２では、主軸台１６のＣ軸モータ１７を回転させて工作物２０を回転させる。併せて、工作物２０を回転させながらＸ軸モータ４により砥石台３を前進させることで加工箇所に研削砥石７の切り込みを与え、ジャーナルＪ１の粗研削と精研削を行う。粗研削の終端において、砥石台３の切込み送りを停止させて、加工箇所に研削砥石７の切り込みを与えないで工作物２０を１回転または数回転させてスパークアウト研削を行い、粗研削を終了する。
この場合、粗研削と精研削時に工作物２０の撓みがもたらす楕円を補正するために、研削工程において工作物２０が回転する間中は、楕円成分を矯正するように砥石台３を工作物２０の回転に同期させて微小の距離を進退運動させても良い。このような楕円矯正運動を砥石台３に与える場合では、この楕円成分を矯正するための工作物回転角度位置と、これに応じた砥石台３の移動量の増減成分が補正プロファイル（Ｐ／Ｆ）データとして試し研削加工を経て予め作成され、記憶手段３６に記憶される。そして、各研削工程においては、砥石台３の切込み量に補正プロファイル（Ｐ／Ｆ）データに指定される増減送り成分が重合される。
【００３２】
次に、ステップＳ４３では、計測装置２５のプローブ２７を主軸台１６に設けられている基準板２９の基準面に接触させ、計測装置２５のオン信号が出力されると時の砥石台３の位置をＸ軸エンコーダ５の出力を読み取り、基準点Ｋ３データとして記憶手段３６に記憶する。
次に、プローブ２７を研削した一番目のジャーナルＪ１に当接し、基準点Ｋ３からプローブ２７がジャーナルＪ１に当接して、計測装置２５からオン信号が出力されるまでの砥石台３の移動量を外周面距離Ｍ３１として求める。
そして、ステップＳ４４では、中央演算処理装置（ＣＰＵ）３２は、既知である基準距離Ｋ３と、測定した外周面距離Ｍ３１に基づいて、ジャーナルＪ１の外径（直径）ＪＤ１１を求める。ジャーナルＪ１の外周面の外径ＪＤ１１は、例えば式［ＪＤ＝（Ｋ３−Ｍ３１−Ｐ／２）×２］により求めることができる。
【００３３】
次に、ステップＳ４５では、測定されたジャーナルＪ１の実際の精研削外径ＪＤと、設定された目標の精研削外径と比較して、両方の誤差が、設定された許容値を超える場合、砥石径の設定値を補正するか、または、砥石台３の座標を補正する。
砥石径の設定値を補正する場合では、例えばＣＢＮ研削砥石の金属製コア部材の熱変形分を補償することや、測定具を用いて手作業で行う砥石径測定作業における測定誤差を補償することを主な狙いとしているが、加工機を構成する全ての機械的要素の熱変形や送りサーボ系の追跡遅れ等から生じる誤差も砥石径の設定誤差と見なし、砥石径設定値を補正するものである。この補正方法では、具体的には、実際の精研削外径ＪＤがこれと対応する目標値外径よりも小さくなるときには、砥石径の設定がその分だけ小さく設定されていたためであるので、砥石径の設定値をその分だけ大きく設定し直すことにより、仕上げ研削における砥石台３の切込み前進端位置が戻し勝手に修正される。逆に、実際の精研削外径ＪＤがこれと対応する目標値外径よりも大きくなる時には、砥石径の設定をその分だけ小さく設定し直すことにより、仕上げ研削における砥石台３の切込み前進端位置が切込み勝手に修正される。
砥石台３の座標を補正する別の方法では、上述した熱変形分の誤差や測定誤差、送りサーボ系の追跡遅れ成分を一括して砥石台３の初期座標設定誤差と見なすものである。この方法では、実際の精研削外径ＪＤがこれと対応する目標値よりも小さくなるときには、その分だけ砥石台３の座標を切込み方向の前方に設定し直し、逆に、実際の精研削外径ＪＤがこれと対応する目標値よりも大きくなるときには、その分だけ砥石台３の座標を切込み方向の後方に設定し直す。
【００３４】
次に、ステップＳ４６では、ステップＳ４３にて粗研削及び精研削されたジャーナルＪ１が仕上げ研削加工され、この加工の終端部では精研削の終端部と同様に、スパークアウト研削される。この仕上げ研削では、ステップＳ４５で砥石径の設定値を修正した場合には、この修正砥石径に基づいて再計算された仕上げ研削の切込み前進端の位置まで砥石台３が切込み送りされ、これによりジャーナルＪ１の仕上げ外径は、目標仕上げ外径に研削されるようになる。
また、ステップＳ４５で砥石台３の現在位置座標を修正した場合では、砥石台３の仕上げ研削の切込み前進端を指定する数値制御プログラム上の座標は不変であるが、砥石台３の現在位置を修正することにより、結果として仕上げ研削の切込み前進端到達時における砥石台３の位置が変更され、ジャーナルＪ１の仕上げ外径は、目標とする外径に研削加工されるようになる。
仕上げ研削加工が終了したら、ステップＳ４３と同様の方法で、基準板２９の基準点からプローブ２７がジャーナルＪ１に接触して計測装置２５からオン信号が出力される位置までの間に砥石台３が移動したＸ軸方向の外周面距離Ｍ３２を計測する。
そして、ステップＳ４８において、ステップＳ４４と同様の方法で、ジャーナルＪ１の外径ＪＤ１２を求める。
【００３５】
ステップＳ４９では、中央演算処理装置（ＣＰＵ）３２は、求めた外径ＪＤ１２が研削加工後の目標値に対して許容範囲内にあるか否かを判断する。外径ＪＤ１２が目標値の許容範囲内にあれば、ステップＳ５０に進む。外径ＪＤ１２が許容範囲から外れているときには、ステップＳ５１に進む。
ステップＳ５１では、中央演算処理装置（ＣＰＵ）３２は、ジャーナルＪ１の研削加工がＮＧであることを示すＮＧ信号を入出力装置３８に送る。入出力装置３８は、中央演算処理装置（ＣＰＵ）３２からＮＧ信号を受信すると、ＮＧであることを示す情報を表示する。また、中央演算処理装置（ＣＰＵ）３２は、研削盤１に加工中止指令を送信し、ジャーナルＪ２の研削加工を中止させる。
【００３６】
ステップＳ５０では、中央演算処理装置（ＣＰＵ）３２は、他の研削加工を行うジャーナルがあるか否かを判断する。他に研削加工を行うジャーナルがなければ、すべて作業完了となる。また、例えばジャーナルＪ２、Ｊ３のような、更に他のジャーナル外周部の研削加工も継続して行うときには、ステップＳ５２に進む。
【００３７】
ステップＳ５２では、二番目のジャーナルＪ２に研削砥石７を合わせるために、Ｙ軸モータ１２によりテーブル１１を移動させてテーブル１１の位置を割り出す。
次に、ステップＳ５３では、ステップＳ４２と同様の方法で、ジャーナルＪ２の粗研削及び精研削を行う。
次に、ステップＳ５４では、ステップＳ４６と同様の方法で、ステップＳ４５で行った砥石径補正または砥石台座標補正で修正された仕上げ研削の切込み前進端の位置まで砥石台３を前進させて、ジャーナルＪ１の仕上げ研削加工（微研削、零切り込み研削）を行う。
仕上げ研削加工を終了すると、ステップＳ５０に進み、研削作業を完了させる。
なお、第三の実施の形態の変更例として、仕上げ研削加工を終了後に、ジャーナルＪ１の外径ＪＤを計測する場合には、ラインＬ２に従ってステップＳ４７に進む。そして、ステップＳ４７以降のステップが実行される。
【００３８】
以上のように、本発明の加工部の測定方法あるいは計測装置は、安価に、精度よく加工部の直径を測定することができる。また、加工部の中心軸に対する偏心量も測定することができる。このため、本発明の計測装置と加工装置を組み合わせれば、仕上り精度の良い工作物の研削加工が可能となる。
【００３９】
本発明は、上述した実施の形態に限定されるものではなく、その要旨を逸脱しない範囲内で適宜変更、追加、削除を行うことができる。
例えば、研削盤１について説明したが、本発明は研削盤１以外の種々の加工機械に適用できる。
また、距離を１軸（例えば、Ｘ軸）に沿った距離で計測したが、２次元あるいは３次元の距離で距離で計測しても加工部の直径や偏心量を測定することができる。
また、加工部の測定を行いながら工作物２０、２１を研削加工する際の動作は、図４、図７、図９に示したフローチャート図に限定されるものではなく、種々変更可能である。
また、クランクシャフトのクランクピン、偏心円筒部、ジャーナルの加工、測定について説明したが、回転する中心軸を有する工作物（軸物工作物）であれば、工作物や加工部の種類や形状は限定されず、さらに、加工方法や測定方法も種々変更可能である。
また、研削砥石７にＣＢＮ砥石を用いて説明したが、例えば、ＷＡ砥石等の研削砥石の他に、カッタやバイト等の切削工具を用いても良く、工具については種々対応可能である。
また、計測方法は、図３、図６、図８に示す方法に限定されず、種々変更可能である。
また、主軸台１６の側部に基準板２９を設けたが、基準板２９の設置場所は種々変更可能であり、基準板２９の形状等も種々変更可能である。要するに、主軸センタ１９の軸心からの基準位置を決定することができればよい。
また、断面が円形の加工部について説明したが、断面が円形以外の種々の形状の加工部に対して本発明を提供することができる。
また、基準点からの距離を計測する加工部の外周面上の２点は、回転中心を挟んで対向する２点（１８０度離れた２点）であればよい。
また、本実施の形態では、計測装置２５はプローブ２７の先端が被計測部に接触してプローブ２７が所定角度に傾斜した時に接点でオン信号を発する接点動作形のタイプを使用しているが、この接点動作形の計測装置以外の形式のものも使用できる。具体的には、比較的に狭い測定範囲をカバーし、この範囲では、例えば０．１あるいは１ミクロンメートル等の分解能でプローブの変位量が計測可能な分解能形のものも代用できる。これを代用する場合には、基準板２９上の基準点の記憶は、砥石台３を予め設定した所定移動量だけ前進し、その際に基準板２９に当接するプローブの移動量の指示値を読取り、この指示値と前記所定移動量との和を求めて基準点として記憶する。また、基準点から加工物表面までの距離（例えば、図２におけるＭ１１、Ｍ１２）は、同じく基準点から砥石台３を所定移動量だけ前進し、その際に加工物表面に当接するプローブの変位量の指示値を読取り、この指示値と前記所定移動量の和を算出することにより求めることができる。
その他で計測装置２５に代用可能なものとしては、基準板２９の表面や被計測部の表面を正確に計測できるものであれば、超音波センサや光センサ等の計測装置を適宜使用できる。
更に、本計測方法は、カムシャフトを研削する研削盤上においても適用できる。具体的には、研削加工直後のカム形状、特にカムの基礎円径やトップ部の基礎円中心からの半径を測定する場合や、研削加工直後のカム表面上の複数点を測定して、カムプロファイルの確認を行う場合である。同様に、研削加工直後の円筒部表面上の複数点を測定する場合に適用すれば、加工された円筒部の真円度測定が機上で実現する。特に、研削盤上にセットされた研削加工前の工作物の同心円筒部、偏心円筒部、あるいは、クランクピン部を測定すれば、研削取代の適否やその他不良工作物の事前確認等を行い、研削加工を実行する前に不良工作物を排除できる。
また、プローブ２７の形状を球径Ｐの球としたが、プローブの形状、材質、長さ、数量等については、種々変更可能である。
また、計測装置の計測位置をプローブ２７の球径Ｐの中心としたが、計測位置はどの位置でもよい。計測装置２５は、砥石台３のような工具台に取付けるのが好適である。
また、研削盤１にコンピュータ数値制御装置（ＣＮＣ）を備えた制御装置３１で説明したが、制御装置は種々変更可能である。
また、記憶手段３６に理想プロファイル（Ｐ／Ｆ）データ、補正プロファイル（Ｐ／Ｆ）データ、再補正プロファイル（Ｐ／Ｆ）データ等が記憶されているとしたが、記憶されるプログラムの内容についてはこの限りでない。
また、本発明は加工部の測定方法あるいは加工部の加工方法として記載したが、本発明は、加工部の測定装置あるいは加工部の加工装置として構成することもできる。
【００４０】
【発明の効果】
以上詳述したように、本発明の加工部の測定方法及び測定装置を用いれば、安価に、精度よく加工部の直径を測定することができる。また、中心軸に対して偏心している、例えば、クランクピンのストロークのような加工部の偏心量も測定することができる。このため、工作機械で加工された工作物の加工精度を向上させることができる。
【図面の簡単な説明】
【図１】  本発明の加工部の測定方法で用いる計測装置を設けた研削盤の概略平面図である。
【図２】  本発明の加工部の測定方法の第一の実施の形態を示す図である。
【図３】  本発明の加工部の測定方法の第一の実施の形態で使用する計測値を計測する方法を説明する図である。
【図４】  本発明の加工部の測定方法の第一の実施の形態を用いてクランクピンの中心軸に対する偏心量及び直径を測定しながら、クランクピンの研削加工を行う際の動作を示すフローチャート図である。
【図５】  本発明の加工部の測定方法の第二の実施の形態を示す図である。
【図６】  本発明の加工部の測定方法の第二の実施の形態で使用する計測値を計測する方法を説明する図である。
【図７】  本発明の加工部の測定方法の第二の実施の形態を用いて偏心円筒部の中心軸に対する偏心量及び直径を測定しながら、偏心円筒部の研削加工を行う際の動作を示すフローチャート図である。
【図８】  本発明の加工部の測定方法の第三の実施の形態で使用する計測値を計測する方法を説明する図である。
【図９】  本発明の加工部の測定方法の第三の実施の形態を用いてクランクピンのジャーナルの直径を測定しながら、ジャーナルの研削加工を行う際の動作を示すフローチャート図である。
【図１０】  従来の追従式定寸装置を示す図である。
【符号の説明】
１…ピン研削盤
２０、２１…クランクシャフト（工作物）
ＣＰ１、ＣＰ２…クランクピン（加工部）
ＣＡ１、ＣＡ２…偏心円筒部（加工部）
Ｊ１、Ｊ２、Ｊ３…ジャーナル（加工部）
２５…計測装置
２７…プローブ
２９…基準板
【図１】
0004051872.tif 000002
【図２】
0004051872.tif 000003
【図３】
0004051872.tif 000004
【図４】
0004051872.tif 000005
【図５】
0004051872.tif 000006
【図６】
0004051872.tif 000007
【図７】
0004051872.tif 000008
【図８】
0004051872.tif 000009
【図９】
0004051872.tif 000010
【図１０】
0004051872.tif 000011